(57)【要約】      （修正有）【課題】額縁をガラス面の室内側に取り付けるときの取り付け具で、見た人の注目度を向上させる見栄えの良いオブジェクト取付け器具を提供する。【解決手段】人間を含む動物、異星人または人工物の、手または足の形を模しており、手または足の形の部分に、ガラス面に取り付く手段６を設けたことを特徴とするオブジェクト取り付け器具とし、オブジェクトは、額縁またはフォトフレイムであることを特徴とする。また、そのオブシェクト取り付け器具を有する額縁１とする。【選択図】図１
0003196767.tif 000002
【実用新案登録請求の範囲】
【請求項１】
人間を含む動物、異星人または人工物の、手または足の形を模しており、前記手または足の形の部分に、ガラス面に取り付く手段を設けたことを特徴とするオブジェクト取り付け器具。
【請求項２】
前記オブジェクトは、額縁またはフォトフレイムであることを特徴とする請求項１記載の取り付け器具。
【請求項３】
額縁またはフォトフレイムを備えていることを特徴とする請求項１または請求項２記載のオブシェクト取り付け器具を有する額縁。
【考案の詳細な説明】
【技術分野】
【０００１】
本考案はオブジェクトの取り付け器具に関するものである。
【背景技術】
【０００２】
従来、ショウウィンドウなどのガラス面にポスターを貼り付け飾るとき、ガラス面が手前にあるので、粘着テープなどで後ろから貼り付け、テープの端がガラス面に出て、前面から見えるため美観を損ねるものであった。
また額縁を活用する場合、額縁をガラス面近くに設置するには、設置し難いものであった。
【先行技術文献】
【非特許文献】
【０００３】
【非特許文献１】なし
【考案の概要】
【考案が解決しようとする課題】
【０００４】
本考案は額縁をショウウィンドウなどのガラス面に取り付けようとするとき、前記額縁の前面を正面にして外側から見えるようにするためには、前記額縁をガラスの外側に出すか、または、室内側で前記額縁の前面をガラス側に近づけて設置する。前者の場合は、雨に濡れるので不可能であった。後者の場合は、ガラス面の室内側で額縁が室外側を向くような姿勢にし、ワイヤなどで天井から釣り下げる工事をし、手間が掛かった。
または室内側でガラス面に吸盤を貼り付けて、前記額縁が外を向くような姿勢で吊り下げたりした。しかし、これはいかにも吸盤で吊っていますという仕掛けがまる見えで、見栄えが大変悪いものであった。
これは額縁に限らず他のオブジェクトでも同じである。
【課題を解決するための手段】
【０００５】
上述の目的達成のために、第一の本考案は、ガラス面に取り付ける手段を備え、このガラス面に取り付ける手段は人間を含む動物、異星人または人工物の手または足の形を模しており、前記手または足の形の部分にはガラス面に取り付く手段が設置してあるオブジェクトをガラス面に取り付ける器具である。
【０００６】
第二の考案は、前考案のオブジェクトが額またはフォトフレイムであることを特徴とするガラス面に取り付ける器具である。
【０００７】
第三の考案は、第一の考案、第二の考案のガラス面に取り付ける器具を備えた額縁である。
【０００８】
オブジェクトとは店舗で扱う一般の商品で、額物やフォトフレイムを含んでいる。これらは通常はガラス面に取り付けてガラス越しに見るように展示することはない。物理的に軽いもののみ可能である。
取り付け器具の材質は、紙、合成樹脂などのシート体が好ましいが、成型した合成樹脂の手や足の人形でも良い。曲がる骨が入っている場合もある。
人間を含む動物、異性人または人工物とは、手や足を持っているもので、人工物とはロボットのことである。
大きさは、額縁の大きさから導き出し、Ａ４版とすると、１０ｃｍ程度が好ましい。Ａ１版であると、額から出た部分が２５ｃｍ程度が好ましい。また、額縁は軽いものが良く、紙製、合成樹脂などのシート体でできた額縁が好ましい。金属性のフレームでも軽ければ良い。
【０００９】
ガラス面に取り付ける器具を備えた額縁とは、図では前記取り付け器具が分離していて、両面粘着テープで貼り付けるようになっているが、前記額縁と一体にしても良い。
取り付け方は、ガラス面を傷つけないようにするために、接着、粘着、吸着、磁気力で付くなどである。それぞれの例として接着剤、粘着テープ、吸盤、磁石などで取り付ける。
【考案の効果】
【００１０】
取り付け具２の形態を手の形にすることによって、単に吊っていますというイメージではなくて、より擬人化しガンバッて貼り付いていますよ、という見る人をわくわくさせるイメージにし、この額縁を見た人の注目度を向上させ、笑いを誘い、見栄えが向上する。
【図面の簡単な説明】
【００１１】
【図１】本考案の第一実施例を示す表側の立体図である。
【図２】本考案の第一実施例を示す裏側の立体図である。
【図３】本考案の第一実施例を示す側面図である。
【図４】本考案の第一実施例を示す展開図である。
【図５】本考案の第二実施例を示す展開図である。
【図６】本考案の第三実施例を示す正面図である。
【図７】本考案の第三実施例を示す側面図である。
【考案を実施するための形態】
【００１２】
額縁１の取り付け具２を掌３付き腕４の形にし、額縁１の側面または裏面に前記掌３付き腕４備えて擬人化し、額縁くん１がガンバって落ちないようにガラス面Ａに掌３を貼り付けて、耐えているという状況を模した形態にする。
ガラス面に取り付く両面粘着テープの形は、掌をガラスに密着して出来る吸着跡の形にするとリアリティーがます。
【実施例１】
【００１３】
図１に示した実施例でもって説明する。
これは、額縁１の裏に腕４を貼り付けて、手に相当する部分の掌３の分に両面粘着テープ６を貼り付けて、ガラス面Ａに粘着している取付け具を示していて、図１は使用状況をガラス面Ａを介して見ている。左右一対の掌３つき腕４がセットになっている。
ここでは特に額縁１を図示しているが、一般商品などのオブジェクトでも良い。
図２が裏側から見た斜視図である。腕の付け根５には両面粘着テープが貼ってあり、額縁１に貼りついている。
図３は側面図である。
図４は使用前の展開図で紙や合成樹脂のシート体を手付き腕の形に切り抜いて出来ている。これは合成樹脂で成型しても良く、曲がる骨を入れる場合も在る。
【００１４】
前記掌３の部分には両面粘着テープ６が貼られている。丁度ガラス面Ａに掌を押し付けるときに出来る吸着跡のような形にすると効果的である。更に、指の吸着跡や猫などの動物の肉球の形があるとリアリティーが増す。
【００１５】
前記手付き腕の付け根５に相当する部分に、オブジェクトに貼り付けるための両面粘着テープ６を具備している。このテープで前記手付き腕を額縁１の背面に貼り付けて固定する。
前記手付き腕の設置場所は、裏側でも側面でも良く、上側面でも良い。
なお、両面粘着テープは、吸盤で吸着させる、接着剤で接着する、磁気力で貼り付けるなどに変更しても良い。なお、額縁は紙、合成樹脂などのシート体で作られた素材が好ましい。なぜなら軽いので、前記取り付け具に付加が掛からない。      
【実施例２】
【００１６】
図５に示した実施例２を説明する。
実施例１では左右一対の腕付き手を用意しているが、本実施例では左右の腕がつながっている形態を示している。なお腕が３本の場合は腕を３本用意する。表と側面が実施例１とおなじなので、裏側から見た図を示す。
腕がつながっている連結部７は胸に相当する部分を一部切り抜いた形態となる。この部分に両面粘着テープ８を貼り付け、額縁１の裏側に貼りつける。正面のみを図示した。
【００１７】
図５は貼る以前の展開図である。左右の腕の付け根を連結部７で連結している。その位置に粘着テープ８で額縁１の裏面に貼りつけて固定する。
図２で示した左右の腕の付け根５がつながっているのが連結部７である。
【実施例３】
【００１８】
図６に示した実施例３を説明する。図６は正面図で、額縁１を点線で表している。
本実施例は実施例１に足に相当する部分を追加している形態を示している。
脚１１と足１２を備え、足１２には両面粘着テープ１３が貼り付いていて、額縁１を包み込むようにして保持する。脚１１と足１２は額縁１の下部を支えてずり落ちないようにする。腰に相当する部分には、両面粘着テープ７を設置し、額縁１がずれ落ちないようにする。なお、この部分の両面粘着テープ７は無くても額縁１を支えることが出来る場合、無くても良い。
火星人のように、手足が多数あっても良い。
【００１９】
実施例１から実施例３で示した額縁１は、額縁でなくて普通の商品でも良い。ただし軽いものである。
【００２０】
また、ここでは両面粘着テープとしたが、貼り付いて保持できるものなら何でも良く、接着、粘着、吸着、磁気力などで貼り合わせてもよい。
【符号の説明】
【００２１】
Ａ      ガラス
１      額縁  
２      取り付け具
３      掌
４      腕
５      腕の付け根
６      両面粘着テープ
７      連結部
８      両面粘着テープ
１０      胴体
１１      脚
１２      足
１３      両面粘着テープ
【図１】
0003196767.tif 000003
【図２】
0003196767.tif 000004
【図３】
0003196767.tif 000005
【図４】
0003196767.tif 000006
【図５】
0003196767.tif 000007
【図６】
0003196767.tif 000008
【図７】
0003196767.tif 000009